(57)【要約】【課題】  眼窩周辺部の手術をする際、手術時の鋭利な器具から眼球を保護する為の保護器、並びに遮光することによる手術用照明器具からの保護と手術中に感じる恐怖心の軽減を目的とした眼球保護器を提供する。【解決手段】  患者の眼球の前面部に装用するのに適した形状を有し、眼球表面と実質的に接する前記眼球保護器の内側面の曲面が、角膜部に対応する部分と強膜部に対応する部分とで曲率半径が異なっており、各曲率半径が、接する眼球の部位に相当する曲率を有している。本発明では、眼球保護器における眼瞼と接する外側面部分に、操作する上で作業に適した大きさの突起状の取手部を設けることが好ましく、手術用照明器具から光を遮光するに充分な遮光性を有していることが好ましい。【選択図】  図２
2005230312.tif 000002
【特許請求の範囲】
【請求項１】
眼瞼部を含む眼窩周辺部の手術時に、眼瞼の内側に挿入して眼球の前面部に装用し、メスや注射器等の鋭利な器具から眼球を保護する為の眼球保護器であって、眼球表面と実質的に接する前記眼球保護器の内側面の曲面が、角膜部に対応する部分と強膜部に対応する部分とで曲率半径が異なっており、各曲率半径が、接する眼球の部位に相当する曲率を有していることを特徴とする眼球保護器。
【請求項２】
前記眼球保護器における眼瞼と接する外側面部分に、操作する上で作業に適した大きさの突起状の取手部が設けられていることを特徴とする請求項１に記載の眼球保護器。
【請求項３】
前記眼球保護器が、手術用照明器具から光を遮光するに充分な遮光性を有していることを特徴とする請求項1又は２に記載の眼球保護器。
【発明の詳細な説明】
【技術分野】
【０００１】
本発明は、眼窩周辺の（眼瞼部を含む）手術を行う際、眼球を保護するための物（眼球保護プロテクタ）であり、特に上眼瞼や下眼瞼に注射やメス等の鋭利な器具を使用する際に眼球を保護するのに適した構造をしたものであると同時に、遮光性の高い色彩（材質）を有することによって、手術時の照明器具からの光を遮断するものである。
【背景技術】
【０００２】
これまで眼瞼の手術時に、メスや注射器等の鋭利な器具を使用する際、図３（ｂ）に示されるようにして、へら状の器具（角板・キリヤン眼球保護器等）によって眼球を保護してきており、これら以外の眼球保護を目的とした器具に関する特許文献及び非特許文献は見当たらない。
しかしながら、これらのへら状器具の場合には、保護できる範囲が狭く、鋭利な器具を使用する部位を変える毎に保護器を眼瞼に出し入れする必要があり、形状も十分考慮されたものではなかった為、患者への負担が大きかった。そして、手術時に行われる局部麻酔は、術中患者自身の意識がある状態で行われるため、手術のための照明器具からの強烈な光を常に浴びることになる。そして、目の前にて行われる手術の様子が常に見えるため、恐怖心を伴うことがあるといった問題点があった。
また、手術内容によっては、術後の眼瞼の開き具合を予測しながらメスを用いたり、あるいは縫合したりする必要がある場合、従来の眼球を保護する器具では、術後の眼瞼の状態を予測しながら手術をする事が困難な場合があるという問題があった。
【発明の開示】
【発明が解決しようとする課題】
【０００３】
本発明の課題は、上述の問題点を解決し、眼瞼を含む手術時に鋭利な器具から眼球を保護し、術中に出し入れする必要がない為、術者（医師）の操作性を向上させ、なおかつ患者への負担を軽減させることである。さらに、保護器を薄くすることによって、術後の眼瞼の状態をより予測しやすくし、さらに遮光することにより患者が感じる負担（眩しさや恐怖心）を軽減できることである、
本発明者等は、種々検討を行った結果、眼球と接する部分にはヒトの眼球の前面の形状にあった曲面を施し、鋭利な器具から眼球を保護するための十分な大きさと強度をつけ、手術中に出し入れする必要がなく安全に作業が行え、遮光することで患者の負担（眩しさや恐怖心）を比較的容易に軽減することを見い出し、本発明を達成した。
【課題を解決するための手段】
【０００４】
本発明の眼球保護器は、眼瞼部を含む眼窩周辺部の手術時に、眼瞼の内側に挿入して眼球の前面部に装用し、メスや注射器等の鋭利な器具から眼球を保護する為の器具であって、眼球表面と実質的に接する前記眼球保護器の内側面の曲面が、角膜部に対応する部分と強膜部に対応する部分とで曲率半径が異なっており、各曲率半径が、接する眼球の部位に相当する曲率を有していることを特徴とする。
【０００５】
又、本発明は、前述の特徴を有した眼球保護器において、前記眼球保護器における眼瞼と接する外側面部分に、操作する上で作業に適した大きさの突起状の取手部が設けられていることを特徴とするものでもある。
【０００６】
更に本発明は、前述の特徴を有した眼球保護器において、前記眼球保護器が、手術用照明器具から光を遮断するに充分な遮光性を有していることを特徴とするものでもある。
【発明の効果】
【０００７】
本発明の眼球保護器は、眼瞼部分を含む眼窩周辺の手術をする患者の眼球に装着し使用する際、従来の眼球を保護する器具では術中に幾度も出し入れが必要であったが、本発明では手術中に取り外す必要がなく、終始安定した状態で眼球を保護する事が出来る。又、眼球保護器が遮光性を有していることにより、手術用照明器具からの眩しさによる負担を解消でき、さらに目前で行われている手術の光景が見えないため恐怖心の軽減にも効果がある。
【発明を実施するための最良の形態】
【０００８】
本発明の眼球保護器は、ヒトの眼球と接する部分にはヒトの眼球の前面の形状にあった曲面を有しており、手術で使用される鋭利な器具から眼球を保護するのに十分な大きさと強度を有している。そして、前面部分に取手部が設けられた構造を有するものは、手術時の作業性が非常に良好である。
又、遮光性の高い色や材質が使用された本発明の眼球保護器は、手術中の患者への負担（眩しさや恐怖心）を軽減するのに効果的である。
本発明の眼球保護器は、手術時に眼球を保護するために十分な強度を有していると同時に、術後の眼瞼の状態を容易に想像する為に必要な薄さも兼ね備えたものである事が好ましい。
【０００９】
以下、本発明の眼球保護器の好ましい一例を図面に示し本発明を説明するが、本発明は図面に例示したものに限定されるものではない。
図１（ａ）は、本発明の眼球保護器の好ましい一例における外観を示す正面図であり、図１（ｂ）及び（ｃ）は、図1（ａ）の側面図である。また、図２（ｂ）、図２（ｃ）は、図１の断面図である。
又、図３（ａ）は、図1に例示した本発明の眼球保護器を実際のヒトの眼瞼に装着した際の状態を示す断面図であり、図３（ｂ）は従来より使用されている形状の眼球保護器具（角板）の使用状態を示す断面図である。
図４（ａ）及び（ｂ）はいずれも眼窩周辺（上眼瞼、下眼瞼）の手術中において、鋭利な器具から広い範囲で眼球が保護されている状態の断面図である。
図５（ａ）（ｂ）（ｃ）は、本発明の眼球保護器の取手部の種々の形状を示す図であり、（a’）（b’）（c’）は（ａ）（ｂ）（ｃ）の側方を示した図である。（d）（d’）は取手部を設けなかった状態の図である。尚、（ｃ）の取手部の材質は糸のようなものを示しており、材質は生態適合性があり、操作時に切れない強度を有し操作性が高いものであれば良い。
図６（ａ）は、取手部に付けられた孔部に手術用の糸で上眼瞼を一時的に眼球保護器と縫合をした状態を示す図で、（ｂ）は、取手部に付けられた孔部に手術用の糸で下眼瞼を一時的に眼球保護器と縫合をした状態を示す図で、（ｃ）は、取手部に付けられた孔部に手術用の糸で上下眼瞼を一時的に眼球保護器と縫合をした状態を示す図である。
図７は、本発明の眼球保護器を用いて手術用照明器具からの照射を遮断している状態を示す図である。
【００１０】
図１（ａ）、（ｂ）、（ｃ）に例示した本発明の眼球保護器1には、遮光するための色（材質）が施してあり、操作をしやすくする為に取手部Bが設けられているが、取手部Bの大きさ（幅、厚み、長さ）及び形状（取手部断面形状）は、手術形態や手術方法、手術部位あるいは術者（医師）の好みに応じて、操作し易い形状に適宜選択される。特に、ピンセットでつまみ易い形状であることが好ましい。
本発明の眼球保護器における取手部Bは、眼球保護器の前面部分に設けるのが一般的であるが、手術形態や手術方法、手術部位あるいは術者（医師）の好みによっては無くてもよい。又、取手部Bを設ける場合においても、手術形態や手術方法、手術部位あるいは術者（医師）の好みによっては、眼球保護器のどの部位に設けられてもよく、取手部Bの個数も限定されるものではない。尚、この取手部には、図１（ｂ）に示されるような、孔（穴）を設けても良く、この孔（穴）は手術形態や手術方法、手術部位によって上眼瞼や下眼瞼と縫合する場合に使用することができる。
【００１１】
本発明の眼球保護器における取手部の色彩、形状、材質、大きさは例示したものに限らず、手術形態や手術方法、手術部位あるいは術者（医師）の好みによって色彩、形状、材質、大きさを決め適当な部位に設けても良い。
【００１２】
そして、図1、図2の構造を有した本発明の眼球保護器を眼窩周辺部の手術を受ける患者の眼瞼に装着した場合、眼球の前面部が覆われ、手術時に使用される鋭利な器具から眼球を保護することが可能である。なお、眼球保護器の図2（ｂ）の湾曲面（裏面）R1・R2には、ヒトの眼球の前面に接触した場合、眼球への刺激（負担）が無いような曲面が施されており、R1とR2との関係はR1＜R2であれば良く、そのR1・R2曲率半径の範囲は特に限定しないが、理想的な曲率半径はR1が8〜12mm、R2が18〜25mmとする。2つ以上の湾曲面を必要とするときは、必要な箇所に必要な湾曲をつけるものとする。尚、R1とは、角膜部に対応する部分の半径であり、R2とは、強膜部に対応する部分の半径である。
【００１３】
本発明では、眼球保護器の色彩、材質、形状、大きさ、重量などは特に限定されないが、その材質としては生体適合性があり、薄く、遮光性が高く、手術時に使用される鋭利な器具から眼球を保護する為の強度があれば良く、抗菌性のある材質のものでも良い。本発明において一般的な材質としては、黒色のＰＭＭＡ（ポリメチルメタクリレート）樹脂等が挙げられる。なお、本発明では遮光性を高める為に、眼球保護器の内部にアルミ箔の様な薄くて遮光性の高い材質を挟んでも良く、さらに弾力性のある物でも良い。又、レーザー、放射線から眼球を保護可能な材質（例えば鉛等）であっても良い。
【００１４】
ところで、本発明の眼球保護器における裏面（眼球と接する面）の湾曲Rの数に限りはないが、装用時や脱着時に眼球に負担をかけない形状、箇所、数にする。
【００１５】
本発明の眼球保護器は、図4に例示した上眼瞼、下眼瞼に限らず、眼球保護器が達している（及ぼしている）眼窩周辺（内眼角・外眼角・上眼瞼より上部・下眼瞼より下部等）の範囲においても保護することができる。
【００１６】
本発明の眼球保護器は、ヒトの眼球前面部および眼窩周辺部の状態に適した型を製作し、その型の中に粘性を有した状態の樹脂を入れ、熱を加えて重合させた後、成型品を型から取り出し、研磨をするという方法にて製造することができる。尚、研磨する前に成型品を必要に応じて切削し適当な形状に形成する必要がある場合がある。
【００１７】
本発明の眼球保護器はヒトの眼球前面部に装着するために適した形状を有するように製作されたものであるので、一般的なヒトの眼球に装着した際、眼球やその周辺部に負担がかからない。
【実施例】
【００１８】
眼球保護器を製作するのに、遮光性を持たせるために必要な色（黒色に着色）を有し、加工性がよく生体適合性のあるプラスチック（ＰＭＭＡ合成樹脂）により、図1に示される外観の本発明の眼球保護器を製造した。そして、眼窩周辺（眼瞼部分を含む）の手術をする患者の眼球にこの眼球保護器を装着し使用したところ、図4（ａ）、（ｂ）に示されるようにして眼球をうまく保護することが出来た。
【００１９】
又、上記の本発明の眼球保護器を、眼瞼部分を含む手術をする患者の眼球に装着し使用したところ、図7に示したように、局部麻酔を施された患者の眼球を遮光性の高い本発明の眼球保護器を装用することで光が遮られ、手術用照明器具からの眩しさを解消することができた。
【００２０】
上記の本発明の眼球保護器を、眼瞼部分を含む眼窩周辺の手術をする患者の眼球に装着し使用したところ、従来の眼球を保護する器具では術中に幾度も出し入れが必要であったが、本発明では手術中に取り外す必要がなく、終始安定した状態で眼球を保護する事が出来た。又、遮光することにより、手術用照明器具からの眩しさによる負担を解消でき、さらに目前で行われている手術の光景が見えないため恐怖心の軽減にも効果があった。
【図面の簡単な説明】
【００２１】
【図１】（ａ）は本発明の眼球保護器の好ましい一例における外観を示す正面図であり、（ｂ）、（ｃ）は（ａ）の側面図である。
【図２】（ｂ）、（ｃ）は共に、図１に例示した本発明の眼球保護器の断面図である。
【図３】（ａ）は、図1に例示した本発明の眼球保護器を、実際の患者の眼球に装着した際の状態を示す断面図であり、（ｂ）は、従来より使用されている眼球を保護するための器具を使用している状態を示す断面図である。
【図４】（ａ）及び（ｂ）はいずれも眼窩周辺（上眼瞼、下眼瞼）の手術中において、鋭利な器具から広い範囲で眼球が保護されている状態の断面図である。
【図５】（ａ）（ｂ）（ｃ）は、本発明の眼球保護器の取手部の形状を示す図であり、（a’）（b’）（c’）は（ａ）（ｂ）（ｃ）の側方を示した図である。（d）（d’）は取手部を設けなかった状態の図である。
【図６】（ａ）は、取手部に付けられた孔部に手術用の糸で上眼瞼を一時的に眼球保護器と縫合をした状態を示す図であり、（ｂ）は、取手部に付けられた孔部に手術用の糸で下眼瞼を一時的に眼球保護器と縫合をした状態を示す図であり、（ｃ）は、取手部に付けられた孔部に手術用の糸で上下眼瞼を一時的に眼球保護器と縫合をした状態を示す図である。
【図７】本発明の眼球保護器を用いて手術用照明器具からの照射を遮断している状態を示す図である。
【符号の説明】
【００２２】
A    眼球保護器本体
B    取手部
C    上眼瞼
D   下眼瞼
E    メス
F    注射器
G    眼球
H    全体の高さ
h1   取手の高さ
h2   眼球保護器の高さ
K    従来の器具（角板）
L    手術用照明器具
R1    角膜に接触する部分の曲率半径
R2    強膜に接触する部分の曲率半径
X    手術用糸
Y    手術用針
【図１】
2005230312.tif 000003
【図２】
2005230312.tif 000004
【図３】
2005230312.tif 000005
【図４】
2005230312.tif 000006
【図５】
2005230312.tif 000007
【図６】
2005230312.tif 000008
【図７】
2005230312.tif 000009